(57)【特許請求の範囲】
【請求項１】
交流商用電源を整流して直流電圧に変換する一次整流回路と、一次整流回路の＋端子に直列に接続されたチョークコイルと、前記チョークコイルの出力に直列に順方向で接続されたダイオードと、前記ダイオードの出力を平滑する平滑コンデンサと、前記チョークコイルとダイオードとの接続点にコレクタを接続し一次整流回路の−端子にエミッタを接続したスイッチングトランジスタと、前記平滑された電圧を高周波交流電圧に変換するインバータ回路と、前記高周波交流電圧をアーク加工に適した電圧に変換する主変圧器と、前記主変圧器の出力を直流電圧に変換する二次整流回路とを備えたアーク加工用電源装置において、前記一次整流回路の出力端子間の電圧を検出して入力電圧検出信号を出力する入力電圧検出回路と、前記入力電圧検出信号の値が予め定めた基準電圧設定信号の値よりも小さいときには予め定めた高周波で前記スイッチングトランジスタをスイッチングさせるスイッチング素子駆動信号を出力し前記入力電圧検出信号の値が前記基準電圧設定信号の値よりも大きいときには前記スイッチング素子駆動信号の出力を停止する力率改善制御回路とを具備したことを特徴とするアーク加工用電源装置。
【請求項２】
平滑コンデンサの端子間電圧を検出するコンデンサ端子電圧検出回路と、前記コンデンサ端子電圧検出信号の値が予め定めた監視用基準設定信号の値よりも小さいときにはスイッチング素子駆動信号をそのまま通過させ前記コンデンサ端子電圧検出信号の値が前記監視用基準設定信号の値よりも大きいときには前記スイッチング素子駆動信号の通過を禁止して常にスイッチングトランジスタをオフ状態にする比較回路を具備したことを特徴とする請求項１のアーク加工用電源装置。
【請求項３】
チョークコイルの両端に順方向に並列接続した充電用ダイオードを具備したことを特徴とする請求項１又は請求項２のアーク加工用電源装置。
【発明の詳細な説明】
【０００１】
【発明の属する技術分野】
本発明は、アーク加工に用いる電源装置において、交流入力の力率を改善するアーク加工用電源装置に関する。
【０００２】
【従来の技術】
図５は、従来技術のアーク加工用電源装置の電気接続図である。図５に示すアーク加工用電源装置は、交流商用電源を整流して直流電圧に変換する一次整流回路ＤＲ１と、下記に示す平滑コンデンサＣ１の充電電流を制限するチョークコイルＣＬと、上記一次整流回路ＤＲ１で直流に変換した電圧を平滑する平滑コンデンサＣ１と、平滑された電圧を高周波交流電圧に変換するインバータ回路ＩＮＶと、上記高周波交流電圧をアーク加工に適した電圧に変換する主変圧器ＩＮＴと、上記主変圧器ＩＮＴの出力を整流して直流電圧に変換する二次整流回路ＤＲ２と、直流リアクトルＤＬとによって形成されている。
【０００３】
主制御回路ＳＣは、図示省略の出力電流値に応じて、主制御出力信号Ｓｃのパルス幅を制御する。
【０００４】
図６は、従来技術のアーク加工用電源装置の動作を説明するための波形図である。図６において、入力電圧波形Ｉｎｖは、一次整流回路ＤＲ１によって整流し電源周波数（５０Ｈｚ又は６０Ｈｚ）の２倍の周波数の脈流した直流電圧波形を示し、図６の実線は、チョークコイルＣＬが無しのときの平滑コンデンサＣ１の充電電流を示し、図４の点線は、チョークコイルＣＬが有りのときの平滑コンデンサＣ１の充電電流を示す。
【０００５】
図５に示す、チョークコイルＣＬが無しのときは、コンデンサインプット型整流方式となり、平滑コンデンサＣ１に充電する充電電流は、図６の実線に示すように交流サイクルの全期間に流れずパルス状に流れるために電源装置の力率を低下させる。
【０００６】
力率とは、実効電力Ｗと皮相電力（Ｖ・Ａ）との比率になり、図６の実線で示す充電電流がパルス状に流れて導通角ｔ１が狭くなると、充電電流のピーク値が高くなって皮相電力が大きくなる。このときの力率は、
Ｗ／（Ｖ・Ａ）≒０．６
程度であり、かなり悪い数値となる。
【０００７】
図５に示す、一次整流回路ＤＲ１の＋端子と平滑コンデンサＣ１の＋端子との間にチョークコイルＣＬを設けたとき、チョークインプット型整流方式となり、上記チョークコイルＣＬのインピーダンスの値によって、平滑コンデンサＣ１の充電電流が制限されて、図６に示す点線の充電電流期間が長くなって導通角ｔ１が広くなって力率が改善される。
【０００８】
しかし、上記チョークインプット型整流方式で力率を改善すると、チョークコイルＣＬのインピーダンスの値が相当大きなものが必要となる。
【０００９】
図７は、従来技術２のアーク加工用電源装置の電気接続図であり、図５に示す電気接続図と同一符号は、同一動作を行なうので説明は省略して相違する動作について説明する。
【００１０】
図７に示す電気接続図は、アクティブ平滑フィルタ方式となり、図８に示すパルス電流波形Ｉｄを正弦波状にすることで力率を向上させるものである。
【００１１】
チョークコイルＣＬは、スイッチングトランジスタＴＲ１がＯＮのときエネルギーを蓄え、上記スイッチングトランジスタＴＲ１がＯＦＦのとき逆起電力を発生しダイオードＤＲ３を通して蓄えたエネルギーを放出する。
【００１２】
コンデンサ端子電圧検出回路ＣＶは、平滑コンデンサＣ１の端子間電圧を検出し、下記に示す従来技術の力率改善制御回路ＰＦＣの入力レベルにレベル変換してコンデンサ端子電圧検出信号Ｃｖを出力する。
【００１３】
従来技術の力率改善制御回路ＰＦＣは、予め定めた監視用基準設定信号Ｖｒを出力する基準設定回路ＶＲと、上記コンデンサ端子電圧検出信号Ｃｖと監視用基準設定信号Ｖｒとを比較する比較回路ＣＰと、比較信号ＣｐがＨｉｇｈレベルのとき予め定めた高周波数（数１０KＨｚ）のパルス信号ＯＳｃを出力するパルス発振回路ＯＳＣと、発振信号ＯＳｃをスイッチング素子駆動信号Ｓｒにレベル変換するスイッチング素子駆動回路ＳＲとによって形成されている。
【００１４】
図８は、従来技術２のアーク加工用電源装置の動作を説明するための波形図である。図８において、入力電圧波形Ｉｎｖは、一次整流回路ＤＲ１によって整流した電源周波数（５０Ｈｚ又は６０Ｈｚ）の２倍の周波数の脈流した直流電圧波形を示し、パルス電流波形Ｉｄは、スイッチングトランジスタＴＲ１のＯＮ／ＯＦＦによって制御されるパルス電流波形を示し、正弦曲線Ｉｄｈは、パルス電流波形Ｉｄの最大電流値が正弦曲線になることを示し、充電電流波形Ｉｎｄは、上記パルス電流波形Ｉｄを平均値化すれば最終的に入力電圧波形Ｉｎｖに等しい正弦波状になることを示す。
【００１５】
電源投入時、比較回路ＣＰはコンデンサ端子電圧検出信号Ｃｖと監視用基準設定信号Ｖｒとを比較して上記コンデンサ端子電圧検出信号Ｃｖの値が監視用基準設定信号Ｖｒの値より小さいとき比較信号ＣｐをＨｉｇｈレベルにする。上記比較信号ＣＰがＨｉｇｈレベルになるとパルス発振回路ＯＳＣは予め定めた高周波数のパルス信号ＯＳｃを出力し、スイッチング素子駆動回路ＳＲによってレベル変換されたスイッチング素子駆動信号Ｓｒを出力してスイッチングトランジスタＴＲ１をＯＮ／ＯＦＦ制御する。
【００１６】
チョークコイルＣＬによって、スイッチングトランジスタＴＲ１がＯＮのときにエネルギーを蓄え、上記スイッチングトランジスタＴＲ１がＯＦＦのとき逆起電力を発生しダイオードＤＲ３を通して蓄えたエネルギーを放出し平滑コンデンサＣ１によって平滑される。そして、平滑コンデンサＣ１の端子電圧はエネルギーの放出によって上昇する。
【００１７】
比較回路ＣＰは、コンデンサ端子電圧検出信号Ｃｖと予め定めた監視用基準設定信号Ｖｒとを逐次比較して、上記コンデンサ端子電圧検出信号Ｃｖの値が監視用基準設定信号Ｖｒより大きくなると平滑コンデンサＣ１の端子電圧上昇異常と判断して比較信号ＣｐをＬｏｗレベルにする。上記比較信号ＣＰがｌｏｗレベルになるとパルス発振回路ＯＳＣの発振を停止し、スイッチングトランジスタＴＲ１をＯＦＦにして平滑コンデンサＣ１の端子電圧の上昇を制限する。
【００１８】
つぎに、電源投入後に起動信号Ｆｓが入力されと、主制御回路ＳＣが演算を開始して主制御出力信号Ｓｃを出力し、インバータ回路ＩＮＶは、上記主制御出力信号Ｓｃに応じて、平滑コンデンサＣ１によって平滑された電圧を高周波交流電圧に変換する。上記インバータ回路ＩＮＶが動作すると平滑コンデンサＣ１の端子電圧は電圧低下して所定の電圧で安定する。上記平滑コンデンサＣ１の端子電圧が低下するとコンデンサ端子電圧検出信号Ｃｖの値が予め定めた監視用基準設定信号Ｖｒの値よりも小さくなり、比較信号ＣｐはＨｉｇｈレベルになってパルス発振回路ＯＳＣの発振が再開してスイッチングトランジスタＴＲ１をＯＮ／ＯＦＦ制御する。このとき平滑コンデンサＣ１の充電電流はパルス電流波形Ｉｄの平均値となって図８に示す正弦波状の充電電流波形Ｉｎｄとなり力率が改善される。
【００１９】
【発明が解決しようとする課題】
（１）コンデンサインプット型整流方式では、平滑コンデンサの充電電流がパルス状に流れて導通角が狭くなり力率が悪い。（２）チョークインプット型整流方式では、交流商用電源周波数が５０Ｈｚ又は６０Ｈｚと低く、チョークコイルのインダクタンス値を大きくする必要があり、チョークコイルの大形化につながる。（３）アクティブ平滑フィルタ方式では、スイッチングトランジスタの稼動率が高く熱発生損失が大きい。
【００２０】
【課題を解決するための手段】
第１の発明は、交流商用電源を整流して直流電圧に変換する一次整流回路ＤＲ１と、一次整流回路ＤＲ１の＋端子に直列に接続されたチョークコイルＣＬと、上記チョークコイルＣＬの出力に直列に順方向で接続されたダイオードＤＲ３と、上記ダイオードＤＲ３の出力を平滑する平滑コンデンサＣ１と、上記チョークコイルＣＬとダイオードＤＲ３との接続点にコレクタを接続し一次整流回路ＤＲ１の−端子にエミッタを接続したスイッチングトランジスタＴＲ１と、上記平滑された電圧を高周波交流電圧に変換するインバータ回路ＩＮＶと、上記高周波交流電圧をアーク加工に適した電圧に変換する主変圧器ＩＮＴと、上記主変圧器ＩＮＴの出力を直流電圧に変換する二次整流回路ＤＲ２とを備えたアーク加工用電源装置において、上記一次整流回路ＤＲ１の出力端子間の電圧を検出して入力電圧検出信号Ｉｖを出力する入力電圧検出回路ＩＶと、上記入力電圧検出信号Ｉｖの値が予め定めた基準電圧設定信号Ｖｒ２の値よりも小さいときには予め定めた高周波で上記スイッチングトランジスタＴＲ１をスイッチングさせるスイッチング素子駆動信号Ｓｒを出力し、上記入力電圧検出信号Ｉｖの値が上記基準電圧設定信号Ｖｒ２の値よりも大きいときには上記スイッチング素子駆動信号Ｓｒの出力を停止する力率改善制御回路ＰＦＣＩとを具備したことを特徴とするアーク加工用電源装置である。
【００２１】
第２の発明は、平滑コンデンサＣ１の端子間電圧を検出するコンデンサ端子電圧検出回路ＣＶと、上記コンデンサ端子電圧検出信号Ｃｖの値が予め定めた監視用基準設定信号Ｖｒの値よりも小さいときにはスイッチング素子駆動信号Ｓｒをそのまま通過させ、上記コンデンサ端子電圧検出信号Ｃｖの値が上記監視用基準設定信号Ｖｒの値よりも大きいときには上記スイッチング素子駆動信号Ｓｒの通過を禁止して常にスイッチングトランジスタＴＲ１をオフ状態にする比較回路ＣＰを具備したことを特徴とする請求項１のアーク加工用電源装置である。
【００２２】
第３の発明は、チョークコイルＣＬの両端に順方向に並列接続した充電用ダイオードＤＲ４を具備したことを特徴とする請求項１又は請求項２のアーク加工用電源装置である。
【００２３】
【発明の実施の形態】
以下、本発明の実施の形態について、図面を参照して説明する。
[実施例１]
図１は、本発明のアーク加工用電源装置の実施例１を示す電気接続図である。同図において、図５に示す従来技術の電気接続図と同一符号は、同一動作を行なうので説明は省略して相違する動作について説明する。
【００２４】
入力電圧検出回路ＩＶは、一次整流回路ＤＲ１の＋端子と−端子間の電圧を検出し、下記に示す力率改善制御回路ＰＦＣＩの入力レベルにレベル変換した入力電圧検出信号Ｉｖを出力する。
【００２５】
力率改善制御回路ＰＦＣＩは、予め定めた監視用基準設定信号Ｖｒを出力する監視用基準設定回路ＶＲと、平滑コンデンサＣ１の端子間電圧を検出するコンデンサ端子電圧検出回路ＣＶと、上記コンデンサ端子電圧検出信号Ｃｖと予め定めた監視用基準設定信号Ｖｒとを逐次比較する比較回路ＣＰと、予め定めた基準電圧設定信号Ｖｒ２を出力する基準電圧設定回路ＶＲ２と、上記入力電圧検出信号Ｉｖと予め定めた基準電圧設定信号Ｖｒ２とを逐次比較する第２の比較回路ＣＰ２と、上記比較信号Ｃｐと第２の比較信号Ｃｐ２とのアンド論理をとるアンド回路ＡＮＤと、上記アンド回路ＡＮＤの出力がＨｉｇｈレベルのとき予め定めた高周波数（数１０KＨｚ）のパルス信号ＯＳｃを出力するパルス発振回路ＯＳＣと、上記発振信号ＯＳｃをスイッチング素子駆動信号Ｓｒにレベル変換するスイッチング素子駆動回路ＳＲとによって形成されている。
【００２６】
図２は、本発明のアーク加工用電源装置の実施例１の動作を説明するための波形図である。図２において、入力電圧波形Ｉｎｖは、一次整流回路ＤＲ１によって整流した交流商用電源周波数（５０Ｈｚ又は６０Ｈｚ）の２倍の周波数の脈流した直流電圧波形を示し、パルス電流波形Ｉｄは、スイッチングトランジスタＴＲ１のＯＮ／ＯＦＦによって制御されるパルス電流波形を示し、正弦曲線Ｉｄｈは、パルス電流波形Ｉｄの最大電流値が正弦曲線になることを示し、充電電流波形Ｉｎｄは、上記トランジスタ動作期間Ｔｆでパルス電流波形Ｉｄを平均値化し正弦波状となることを示し、トランジスタ停止期間ＴｓではチョークコイルＣＬのインピーダンスの値によって制限された充電電流波形となることを示す。
【００２７】
電源投入時、力率改善制御回路ＰＦＣＩの第２の比較回路ＣＰ２は、入力電圧検出回路ＩＶで検出した入力電圧検出信号Ｉｖの値と基準電圧設定回路ＶＲ２によって設定した予め定めた基準電圧設定信号Ｖｒ２の値とを逐次比較し、上記入力電圧検出信号Ｉｖの値が基準電圧設定信号Ｖｒ２の値より小さいとき（図２に示すトランジスタ動作期間Ｔｆの期間中）第２の比較信号Ｃｐ２はＨｉｇｈレベルになる。このとき、上記比較回路ＣＰの出力信号ＣｐもＨｉｇｈレベルのためにアンド回路ＡＮＤの出力はＨｉｇｈレベルになる。上記アンド回路ＡＮＤの出力がＨｉｇｈレベルの期間中、パルス発振回路ＯＳＣは予め定めた周波数のパルス信号ＯＳｃを出力するとともにスイッチング素子駆動信号Ｓｒを出力して、スイッチングトランジスタＴＲ１をＯＮ／ＯＦＦ制御する。続いて入力電圧検出信号Ｉｖの値が増加して基準電圧設定信号Ｖｒ２の値より大きくなったときに（図２に示すトランジスタ停止期間Ｔｆの期間中）第２の比較信号Ｃｐ２はＬｏｗレベルになる。上記第２の比較信号Ｃｐ２がＬｏｗレベルになるとアンド回路ＡＮＤの出力がＬｏｗレベルになり、パルス発振回路ＯＳＣの発振を停止してスイッチングトランジスタＴＲ１をＯＦＦにする。
【００２８】
チョークコイルＣＬは、トランジスタ動作期間Ｔｆの期間中、スイッチングトランジスタＴＲ１がＯＮのときにエネルギーを蓄え、上記スイッチングトランジスタＴＲ１がＯＦＦのときに逆起電力を発生しダイオードＤＲ３を通じて蓄えたエネルギーを放出して平滑コンデンサＣ１によって平滑される。また、平滑コンデンサＣ１の端子電圧はエネルギーの放出によって上昇する。
【００２９】
比較回路ＣＰは、コンデンサ端子電圧検出信号Ｃｖと予め定めた監視用基準設定信号Ｖｒとを逐次比較して、上記コンデンサ端子電圧検出信号Ｃｖの値が監視用基準設定信号Ｖｒよりも大きくなると平滑コンデンサＣ１の端子電圧上昇異常と判断して比較信号ＣｐをＬｏｗレベルにする。上記比較信号ＣＰがＬｏｗレベルになるとアンド回路ＡＮＤの出力がＬｏｗレベルになり、パルス発振回路ＯＳＣの発振を停止してスイッチングトランジスタＴＲ１をＯＦＦにして平滑コンデンサＣ１の端子電圧の上昇を制限する。
【００３０】
続いて、電源投入後に起動信号Ｆｓが入力されと、主制御回路ＳＣが演算を開始して主制御出力信号Ｓｃを出力し、インバータ回路ＩＮＶは、上記主制御出力信号Ｓｃに応じて、平滑コンデンサＣ１の平滑された電圧を高周波交流電圧に変換する。このときインバータ回路ＩＮＶが動作すると平滑コンデンサＣ１の端子電圧は低下して所定の電圧で安定する。上記平滑コンデンサＣ１の端子電圧が低下するとコンデンサ端子電圧検出信号Ｃｖの値が監視用基準設定信号Ｖｒの値よりも小さくなり比較信号ＣｐをＨｉｇｈレベルにする。
【００３１】
第２の比較回路ＣＰ２は、入力電圧検出信号Ｉｖの値と予め定めた基準電圧設定信号Ｖｒ２の値とを逐次比較し、上記入力電圧検出信号Ｉｖの値が基準電圧設定信号Ｖｒ２の値より小さいときは、（図２に示すトランジスタ動作期間Ｔｆの期間中）第２の比較信号Ｃｐ２はＨｉｇｈレベルになる。このとき、上記比較回路ＣＰの出力信号ＣｐもＨｉｇｈレベルのためにアンド回路ＡＮＤの出力はＨｉｇｈレベルになる。上記アンド回路ＡＮＤの出力がＨｉｇｈレベルの期間中、パルス発振回路ＯＳＣは予め定めた周波数のパルス信号ＯＳｃを出力し、スイッチングトランジスタＴＲ１をＯＮ／ＯＦＦ制御する。図２に示すトランジスタ動作期間Ｔｆは、アクティブ平滑フィルタ方式として動作し、平滑コンデンサＣ１の充電電流は正弦波状になる。
【００３２】
入力電圧検出信号Ｉｖの値が増加して基準電圧設定信号Ｖｒ２の値よりも大きくなったときに（図２に示すトランジスタ停止期間Ｔｓの期間中）第２の比較信号ＣｐはＬｏｗレベルになる。上記比較信号ＣｐがＬｏｗレベルになるとアンド回路ＡＮＤの出力がＬｏｗレベルになり、パルス発振回路ＯＳＣの発振を停止してスイッチングトランジスタＴＲ１をＯＦＦにする。上記スイッチングトランジスタＴＲ１がＯＦＦになるとアクティブ平滑フィルタ方式からチョークインプット型整流方式になって動作するために、平滑コンデンサＣ１の充電電流がチョークコイルＣＬのインピーダンスの値によって制限された充電電流が供給される。
【００３３】
[実施例２]
図３は、本発明のアーク加工用電源装置の実施例２を示す電気接続図である。同図において、図１及び図５の電気接続図と同一符号は、同一動作を行なうので説明は省略して相違する動作について説明する。
【００３４】
充電用ダイオードＤＲ４は、チョークコイルＣＬの両端に順方向に並列接続されている。
【００３５】
第２の比較回路ＣＰ２は、入力電圧検出信号Ｉｖの値と予め定めた基準電圧設定信号Ｖｒ２の値とを逐次比較し、上記入力電圧検出信号Ｉｖの値が基準電圧設定信号Ｖｒ２の値よりも小さいとき、（図４に示すトランジスタ動作期間Ｔｆの期間中）第２の比較信号Ｃｐ２はＨｉｇｈレベルになる。このとき、上記比較回路ＣＰの出力信号ＣｐもＨｉｇｈレベルのためアンド回路ＡＮＤの出力はＨｉｇｈレベルになる。上記アンド回路ＡＮＤの出力がＨｉｇｈレベルの期間中、パルス発振回路ＯＳＣは予め定めた周波数のパルス信号ＯＳｃを出力し、スイッチングトランジスタＴＲ１をＯＮ／ＯＦＦ制御する。上記図４に示すトランジスタ動作期間Ｔｆは、アクティブ平滑フィルタ方式として動作するために、平滑コンデンサＣ１の充電電流は正弦波状になる。
【００３６】
入力電圧検出信号Ｉｖの値が増加して基準電圧設定信号Ｖｒ２の値よりも大きくなったときに（図４に示すトランジスタ停止期間Ｔｓの期間中）第２の比較信号ＣｐはＬｏｗレベルになる。上記比較信号ＣｐがＬｏｗレベルになるとアンド回路ＡＮＤの出力がＬｏｗレベルになり、パルス発振回路ＯＳＣの発振を停止してスイッチングトランジスタＴＲ１をＯＦＦにする。上記スイッチングトランジスタＴＲ１がＯＦＦになるトランジスタ停止期間Ｔｓの期間中は、平滑コンデンサＣ１の充電電流がチョークコイルＣＬの両端に順方向に並列接続された充電用ダイオードＤＲ４を通って供給される。上記より図４に示すトランジスタ停止期間Ｔｓの期間中は、コンデンサインプット型整流方式となる。
【００３７】
上記スイッチングトランジスタＴＲ１をＭＯＳＦＥＴ素子及びＩＧＢＴ素子に交換して使用しても同一動作を行なう。
【００３８】
【発明の効果】
平滑コンデンサの充電電流が正弦波状となり導通角が広くなるために力率が大きく改善できる。また、スイッチングトランジスタを一次整流回路によって整流された脈流直流電圧波形によって間欠動作を行なうために上記スイッチングトランジスタの稼動率を下げることができるので、熱発生損失の低減につながりスイッチングトランジスタの冷却機構の小型化が可能となる。さらに、スイッチングトランジスタ停止期間中は、平滑コンデンサの充電電流が充電用ダイオードを通して充電されるためチョークコイルの発熱が低減されるため小型化が可能となる。
【図面の簡単な説明】
【図１】本発明のアーク加工用電源装置の実施例１を示す電気接続図である。
【図２】本発明のアーク加工用電源装置の実施例１の動作を説明するための波形図である。
【図３】本発明のアーク加工用電源装置の実施例２を示す電気接続図である。
【図４】本発明のアーク加工用電源装置の実施例２の動作を説明するための波形図である。
【図５】従来技術のアーク加工用電源装置の電気接続図である。
【図６】従来技術のアーク加工用電源装置の動作を説明するための波形図である。
【図７】従来技術２のアーク加工用電源装置の電気接続図である。
【図８】従来技術２のアーク加工用電源装置の動作を説明するための波形図である。
【符号の説明】
１          被溶接物
ＡＮＤ      アンド回路
ＣＶ        コンデンサ端子電圧検出回路
ＣＬ        チョークコイル
ＣＰ        比較回路
ＣＰ２      第２の比較回路
Ｃ１        平滑用コンデンサ
ＤＬ        直流リアクトル
ＤＲ１      一次整流回路
ＤＲ２      二次整流回路
ＤＲ３      ダイオード
ＤＲ４      充電用ダイオード
ＩＶ        入力電圧検出回路
ＩＮＴ      主変圧器
ＩＮＶ      インバータ回路
ＯＳＣ      パルス発振回路
ＰＦＣ      従来技術の力率改善制御回路
ＰＦＣＩ    力率改善制御回路
ＳＣ        主制御回路
ＳＲ        スイッチング素子駆動回路
ＴＨ        トーチ
ＦＳ        起動スイッチ
ＴＲ１      スイッチングトランジスタ
ＶＲ        （予め定めたコンデンサ端子電圧）監視用基準設定回路
ＶＲ２      基準設定回路
Ｃｖ        コンデンサ端子電圧検出信号
Ｃｐ        比較信号
Ｃｐ２      第２の比較信号
Ｃｒ        コンデンサ端子間電圧信号
Ｆｓ        起動信号
Ｉｄ        （スイッチングトランジスタＴＲ１の）パルス電流波形
Ｉｖ        入力電圧検出信号
Ｉｄｈ      （パルス電流波形の最大電流値の）正弦曲線
Ｉｎｄ      （コンデンサＣ１の）充電電流波形
Ｉｎｖ      （ＤＲ１で整流された）入力電圧波形
ＯＳｃ      パルス信号
Ｓｃ        主制御出力信号
Ｓｒ        スイッチング素子駆動信号
Ｔｆ        トランジスタ動作期間
Ｔｓ        トランジスタ停止期間
Ｖｒ        監視用基準設定信号
Ｖｒ２      第２の基準設定信号
【図１】
0003822842.tif 000002
【図２】
0003822842.tif 000003
【図３】
0003822842.tif 000004
【図４】
0003822842.tif 000005
【図５】
0003822842.tif 000006
【図６】
0003822842.tif 000007
【図７】
0003822842.tif 000008
【図８】
0003822842.tif 000009